(57)【要約】【課題】防災施設を利用する鍵を管理している管理者が防災施設に行かなくても、遠隔地から防災施設を利用するできる状態にする防災施設遠隔管理システムを提供する。【解決手段】防災施設１に設置されたキーボックス１０と、管理サーバ３０とを備えた防災施設遠隔管理システムであって、キーボックス１０は、防災施設１を利用するための専用鍵Ｋを収容する本体部１１と、本体部１１を施解錠する電気錠１２とを有し、本体部１１には、管理サーバ３０との間で通信を行うと共に電気錠１２の施解錠を制御する通信制御装置１３が収容され、管理サーバ３０は、防災施設１の管理者のユーザ端末ＵＴからの鍵解錠要求を受け付けると、キーボックス１０の通信制御装置１３に鍵解錠指令を送信し、キーボックス１０に収容された通信制御装置１３は、管理サーバ３０から送信された鍵解錠指令を受信すると、キーボックス１０の電気錠１２を解錠する。【選択図】図１
2018044407.tif 000002
【特許請求の範囲】
【請求項１】
防災施設に設置されているキーボックスと、該防災施設に関する情報を記憶していると共に、該防災施設の管理者が操作するユーザ端末との間で各種情報の授受を行う管理サーバとを備えた防災施設遠隔管理システムであって、
前記キーボックスは、前記防災施設を利用するための専用鍵を収容する本体部と、前記本体部に設けられた扉部を施解錠する電気錠とを有し、
前記本体部には、前記管理サーバとの間で通信を行うと共に前記電気錠への通電を制御することで該電気錠を施解錠する通信制御装置が収容されており、
前記管理サーバは、前記ユーザ端末からのアクセス要求に応じて、該アクセス要求をしてきたユーザ端末に対して前記防災施設に関する情報を提供すると共に、前記防災施設に関する情報を提供しているユーザ端末から前記防災施設に設置されているキーボックスの電気錠の鍵解錠要求を受け付け可能に構成され、前記ユーザ端末から前記電気錠の鍵解錠要求を受け付けると前記通信制御装置に対して鍵解錠指令を送信し、
前記キーボックスに収容された通信制御装置は、前記管理サーバから送信された前記鍵解錠指令を受信すると、該キーボックスの電気錠を解錠させるようになっていることを特徴とする防災施設遠隔管理システム。
【請求項２】
前記管理サーバは、前記キーボックスに収容されている通信制御装置に対してパケット通信により前記鍵解錠指令を送信するようになっていることを特徴とする請求項１に記載の防災施設遠隔管理システム。
【請求項３】
前記管理サーバは、
前記防災施設を識別する施設ＩＤと、該施設ＩＤにより識別される防災施設に設置されたキーボックスの電気錠の状態を示す情報と、該施設ＩＤにより識別される防災施設の設置位置を示す情報とを対応付けて記憶している鍵情報データベースと、
前記防災施設の管理者を識別するユーザＩＤと、該ユーザＩＤにより識別される管理者が管理権限を持つ防災施設を特定する情報とを対応付けて記憶しているユーザ情報データベースとを有し、
前記ユーザ端末は、前記アクセス要求をした際に、前記管理サーバに対して前記ユーザ端末を操作する管理者に割り当てられたユーザＩＤを送信するようになっており、
前記情報提供部は、前記アクセス要求をしてきたユーザ端末からユーザＩＤを受信すると、前記ユーザ情報データベースを用いて該ユーザ端末を操作する管理者が管理権限を持つ防災施設を特定し、前記鍵情報データベースを用いて、前記特定した防災施設に設けられたキーボックスの状態及び該防災施設の設置位置を示した前記防災施設に関する情報を生成し、前記アクセス要求をしてきたユーザ端末に対して前記生成した防災施設に関する情報を提供するようになっていることを特徴とする請求項１又は２に記載の防災施設遠隔管理システム。
【請求項４】
前記キーボックスの本体部には、施錠されている前記電気錠が解錠された場合に、該電気錠の解錠に連動するように警報音を発生させる警音器が収容されていることを特徴とする請求項１〜３のいずれか記載の防災施設遠隔管理システム。
【請求項５】
前記防災施設には、ソーラパネルが設置されており、
前記キーボックスの本体部の内部には、前記通信制御装置に電力を供給する電源部と、前記ソーラパネルが発電した電力を受電すると共に、該受電した電力を充電用電力に調整して前記電源部を充電する充電装置とが収容されていることを特徴とする請求項１〜４のいずれかに記載の防災施設遠隔管理システム。
【請求項６】
電気錠により施解錠される防災施設に関する情報を記憶していると共に、該防災施設の管理者が操作するユーザ端末との間で各種情報の授受を行う管理サーバを備えた防災施設遠隔管理システムであって、
前記防災施設には、前記管理サーバとの間でパケット通信を行うと共に前記電気錠への通電を制御することで該電気錠を施解錠する通信制御装置が設置されており、
前記管理サーバは、
前記ユーザ端末からのアクセス要求に応じて、該アクセス要求をしてきたユーザ端末に対して前記防災施設に関する情報を提供すると共に、前記ユーザ端末から前記防災施設の電気錠の鍵解錠要求を受け付ける情報提供部と、
前記通信制御装置との間でパケット通信を行うパケット通信部とを有し、
前記管理サーバの情報提供部は、前記ユーザ端末から前記電気錠の鍵解錠要求を受け付けると、前記パケット通信部を介して、前記通信制御装置に対して鍵解錠指令を送信し、
前記防災施設に設けられた通信制御装置は、前記管理サーバから送信された前記鍵解錠指令を受信すると、該電気錠を解錠するようになっていることを特徴とする防災施設遠隔管理システム。
【発明の詳細な説明】
【技術分野】
【０００１】
本発明は、防災施設遠隔管理システムに関し、例えば、遠隔地のユーザ端末からの操作により防災施設を利用できる状態にすると共に、遠隔地のユーザ端末に防災施設の状態を提示できる防災施設遠隔管理システムに関する。
【背景技術】
【０００２】
従来から、地震や台風等の災害に備えて、非常食、飲料水、医薬品、簡易トイレ、毛布等の防災用品を収容する防災倉庫（防災施設）について種々の構成のものが提案されている。
【０００３】
例えば、特許文献１には、防火性のパネルを接合して構成した倉庫本体と、この倉庫本体の上部に取付けられた緩衝屋根とを備え、防火性を有するとともに、周囲の電柱や立ち木の倒壊、落下物等の衝撃を吸収する構造の防災倉庫が提案されている。特許文献１に記載の防災倉庫によれば、災害時に発生する火災や落下物等から、倉庫内に収容している防災用品等を保護することができる。
【０００４】
また、例えば、特許文献２には、倉庫の内部壁面に設置された地震感知装置と、引き戸に設けられた解錠装置と、地震感知装置と解錠装置を連結ワイヤーで連結する連結装置とを備えた自己解錠装置が開示されている。
【先行技術文献】
【特許文献】
【０００５】
【特許文献１】特開平９−２８７２１８号公報
【特許文献２】特開２０１０−２２２８４３号公報
【発明の概要】
【発明が解決しようとする課題】
【０００６】
ところで、上述した従来技術の防災倉庫は、専用の鍵により、頑丈で且つ複雑な構造の錠を施解錠する構成になっており（専用の鍵が無いと開かない構成になっており）、内部の収容品の盗難防止や悪戯などによる破損防止が図られている。尚、防災倉庫の鍵は、一般的に、管理者が鍵を保管して管理している。
【０００７】
しかし、従来技術の防災倉庫のような、管理者が鍵を保管・管理して、管理者が防災倉庫の設置位置まで出向いて解錠する方法は以下の課題を有している。具体的には、地震や台風等の災害の影響により、防災倉庫の設置位置の周辺の道路や橋が寸断されることがある。このような場合、防災倉庫まで、鍵を保管している管理者が辿り着けないことも想定され、緊急事態のときに、防災倉庫を開けることができず、被災者が、非常食、飲料水、医薬品、簡易トイレ、毛布等の防災用品を利用できない虞がある。
【０００８】
また、特許文献２に記載の自己解錠装置を装着した防災倉庫は、設置される場所の地盤の強度の影響を受けて、想定通りに動作しない虞があるという課題を有している。例えば、地盤の強度が低い場所に、防災倉庫が設置されている場合には、震度３、４程度の地震で、防災倉庫の扉が自動的に解錠することが想定され、内部の収容品の盗難防止の効果が期待できない。また、防災倉庫を利用したい住民の住居は被害を受けているものの、防災倉庫が設置されている場所の地盤の強度が高く、防災倉庫の扉が自動解錠されないことも考えられ、このような場合には、被災者が、非常食、飲料水、医薬品、簡易トイレ、毛布等の防災用品を利用できない虞がある。
【０００９】
尚、津波避難タワー等の防災施設においても、一般的に、防災倉庫と同様、専用の鍵により施錠され、管理者が防災施設の設置位置まで出向いて解錠する方法が採用されている。そのため、津波避難タワー等の防災施設においても、上述した防災倉庫と同様の課題が生じている。
【００１０】
本発明は、上記課題に鑑みてなされたものであり、その目的は、防災施設を利用するための鍵を管理している管理者が防災施設に行かなくても、遠隔地から防災施設を利用できる状態にする防災施設遠隔管理システムを提供することにある。
【課題を解決するための手段】
【００１１】
上記課題を解決するためになされた本発明は、防災施設に設置されているキーボックスと、該防災施設に関する情報を記憶していると共に、該防災施設の管理者が操作するユーザ端末との間で各種情報の授受を行う管理サーバとを備えた防災施設遠隔管理システムであって、前記キーボックスは、前記防災施設を利用するための専用鍵を収容する本体部と、前記本体部に設けられた扉部を施解錠する電気錠とを有し、前記本体部には、前記管理サーバとの間で通信を行うと共に前記電気錠への通電を制御することで該電気錠を施解錠する通信制御装置が収容されており、前記管理サーバは、前記ユーザ端末からのアクセス要求に応じて、該アクセス要求をしてきたユーザ端末に対して前記防災施設に関する情報を提供すると共に、前記防災施設に関する情報を提供しているユーザ端末から前記防災施設に設置されているキーボックスの電気錠の鍵解錠要求を受け付け可能に構成され、前記ユーザ端末から前記電気錠の鍵解錠要求を受け付けると前記通信制御装置に対して鍵解錠指令を送信し、前記キーボックスに収容された通信制御装置は、前記管理サーバから送信された前記鍵解錠指令を受信すると、該キーボックスの電気錠を解錠させるようになっていることを特徴とする。
【００１２】
上記の構成によれば、地震や台風等の災害発生時において、防災施設の管理者が、自分が管理している防災施設の設置位置まで辿り着けないような場合に、自身が保持するユーザ端末を操作して、管理サーバにアクセスして、管理サーバに対して、防災施設に設置されているキーボックスの電気錠の鍵解錠要求をすることで、防災施設に設置されているキーボックスの電気錠を解錠し、専用鍵を取り出せるようにすることができる。すなわち、本発明によれば、災害発生時において、管理者が防災施設に辿り着けないような場合であっても、管理者がユーザ端末を操作することで、防災施設を利用できる状態にすることができる。
尚、本発明は、上述した特許文献２に記載の発明のような「倉庫の内部壁面に設置した地震感知装置が感知する振動により動作して、鍵を解錠する構成」ではなく、ユーザ端末からの要求を受けた管理サーバから送信されてくる鍵解錠指令を受信することにより電気錠を解錠させるものであるため、特許文献２に記載の発明の上述した課題が生じることはない。
【００１３】
また、前記管理サーバは、前記キーボックスに収容されている通信制御装置に対してパケット通信により前記鍵解錠指令を送信するようになっていることが望ましい。
この構成によれば、災害発生時においても、管理サーバと、キーボックスに設けた通信制御装置との間の通信が繋がり易く、被災者が、防災施設を利用できなくなるというリスクを軽減させることができる。
【００１４】
また、前記管理サーバは、前記防災施設を識別する施設ＩＤと、該施設ＩＤにより識別される防災施設に設置されたキーボックスの電気錠の状態を示す情報と、該施設ＩＤにより識別される防災施設の設置位置を示す情報とを対応付けて記憶している鍵情報データベースと、前記防災施設の管理者を識別するユーザＩＤと、該ユーザＩＤにより識別される管理者が管理権限を持つ防災施設を特定する情報とを対応付けて記憶しているユーザ情報データベースとを有し、前記ユーザ端末は、前記アクセス要求をした際に、前記管理サーバに対して前記ユーザ端末を操作する管理者に割り当てられたユーザＩＤを送信するようになっており、前記情報提供部は、前記アクセス要求をしてきたユーザ端末からユーザＩＤを受信すると、前記ユーザ情報データベースを用いて該ユーザ端末を操作する管理者が管理権限を持つ防災施設を特定し、前記鍵情報データベースを用いて、前記特定した防災施設に設けられたキーボックスの状態及び該防災施設の設置位置を示した前記防災施設に関する情報を生成し、前記アクセス要求をしてきたユーザ端末に対して前記生成した防災施設に関する情報を提供するようになっていることが望ましい。
【００１５】
上記の構成によれば、自身が保持するユーザ端末ＵＴを操作して管理サーバにアクセスして、ユーザ端末に、自分が管理権限を有している防災施設に設けられたキーボックスの状態及び該防災施設の設置位置を示した前記防災施設に関する情報を表示させることができ、自分が管理している防災施設の現状を把握することができる。
【００１６】
また、前記キーボックスの本体部には、施錠されている前記電気錠が解錠された場合に、該電気錠の解錠に連動するように警報音を発生させる警音器が収容されていることが望ましい。
上記の構成によれば、防災施設に設けられたキーボックスの電気錠が解錠されたことを周囲に知らせることができる。
【００１７】
また、前記防災施設には、ソーラパネルが設置されており、前記キーボックスの本体部の内部には、前記通信制御装置に電力を供給する電源部と、前記ソーラパネルが発電した電力を受電すると共に、該受電した電力を充電用電力に調整して前記電源部を充電する充電装置とが収容されていることが望ましい。
上記の構成によれば、キーボックスに収容されている電源部が容量不足になることが防止され、災害発生時に、システムが機能しなくなるリスクを軽減することができる。
【００１８】
また、本発明は、電気錠により施解錠される防災施設に関する情報を記憶していると共に、該防災施設の管理者が操作するユーザ端末との間で各種情報の授受を行う管理サーバを備えた防災施設遠隔管理システムであって、前記防災施設には、前記管理サーバとの間でパケット通信を行うと共に前記電気錠への通電を制御することで該電気錠を施解錠する通信制御装置が設置されており、前記管理サーバは、前記ユーザ端末からのアクセス要求に応じて、該アクセス要求をしてきたユーザ端末に対して前記防災施設に関する情報を提供すると共に、前記ユーザ端末から前記防災施設の電気錠の鍵解錠要求を受け付ける情報提供部と、前記通信制御装置との間でパケット通信を行うパケット通信部とを有し、前記管理サーバの情報提供部は、前記ユーザ端末から前記電気錠の鍵解錠要求を受け付けると、前記パケット通信部を介して、前記通信制御装置に対して鍵解錠指令を送信し、前記防災施設に設けられた通信制御装置は、前記管理サーバから送信された前記鍵解錠指令を受信すると、該電気錠を解錠するようになっていることを特徴とする。
【００１９】
上記の構成によれば、地震や台風等の災害発生時において、防災施設の管理者が、自分が管理している防災施設の設置位置まで辿り着けないような場合に、自身が保持するユーザ端末を操作して、管理サーバにアクセスして、管理サーバに対して、防災施設を施錠している電気錠の鍵解錠要求をすることで、防災施設の電気錠を解錠して、防災施設を利用できる状態にすることができる。
【発明の効果】
【００２０】
本発明によれば、防災施設を利用するための鍵を管理している管理者が防災施設に行かなくても、遠隔地から防災施設を利用できる状態にする防災施設遠隔管理システムを提供することができる。
【図面の簡単な説明】
【００２１】
【図１】本実施形態の防災施設遠隔管理システムの全体構成を示した模式図である。
【図２】本実施形態の防災施設遠隔管理システムを構成するキーボックスを説明するための模式図であり、（ａ）がキーボックスの構成を説明するための模式図であり、（ｂ）がキーボックスの内部に設置されている通信制御装置の機能構成を示した模式図である。
【図３】本実施形態の防災施設遠隔管理システムを構成する管理サーバが記憶している鍵情報データベースのデータ構造を示した模式図である。
【図４】本実施形態の防災施設遠隔管理システムを構成する管理サーバが記憶しているユーザ情報データベースのデータ構造を示した模式図である。
【図５】、本実施形態の防災施設遠隔管理システムを構成する管理サーバが記憶している管理グループデータベースのデータ構造を示した模式図である。
【図６】本実施形態の防災施設遠隔管理システムにより実行される鍵解錠処理を示したフローチャートである。
【図７】本実施形態の防災施設遠隔管理システムが提供するログイン画面を示した模式図である。
【図８】本実施形態の防災施設遠隔管理システムがユーザ端末に提供する防災施設管理情報の画面例を示した模式図であり、鍵を解錠する防災倉庫を選択するための画面を示している。
【図９】本実施形態の防災施設遠隔管理システムがユーザ端末に提供する防災施設管理情報の画面例を示した模式図であり、鍵解錠要求を受け付ける画面を示している。
【発明を実施するための形態】
【００２２】
以下、本発明の実施形態について図面を用いて説明する。
尚、本実施形態の説明では、防災施設遠隔管理システムが防災用品を収容する防災倉庫（防災施設）の管理に用いられる場合の例を示しているが、特にこれに限定されるものではない。平常時には施錠されて利用することが出来ないようになっており、災害発生時に解錠して利用される防災施設（例えば、津波避難タワー）であれば、本発明が適用される。
【００２３】
《システム構成》
先ず、本発明の実施形態の防災施設遠隔管理システムの概略構成について図１、２を用いて説明する。
本実施形態の防災施設遠隔管理システムは、図１に示すように、防災倉庫１の扉部３に設けられた錠５を施解錠する専用鍵Ｋ（図２参照）が収容されているキーボックス１０と、防災倉庫１に関する情報（防災倉庫の設置位置、防災倉庫の管理権限者、防災倉庫に設けられたキーボックス１０の状態等の情報）を記憶して管理する管理サーバ３０とを備えている。
【００２４】
キーボックス１０は、図２に示すように、専用鍵Ｋ（図２参照）を収容する中空箱状の本体部１１と、本体部１１に設けられた扉部１１ｂを施解錠する電気錠（ソレノイド型電気錠）１２とを備えている。また、本体部１１には、管理サーバ３０との間でパケット通信により各種情報の授受を行うと共に、電気錠１２への通電を制御することで電気錠１２を施解錠させる通信制御装置１３が収容されている。尚、キーボックス１０は、防災倉庫１の外側壁部等に設置されている。
【００２５】
管理サーバ３０は、インターネット等のネットワークＮＷを介して、防災倉庫１の管理者（ユーザ）が操作するユーザ端末ＵＴに接続可能になっており、ユーザ端末ＵＴからのアクセス要求に応じて、アクセス要求をしてきたユーザが管理権限を持つ防災倉庫１の設置位置や防災倉庫１に設置したキーボックス１０の状態を示した防災施設管理情報(Ｗｅｂページ（図８、９参照)）を生成する。また、管理サーバ３０は、アクセス要求をしてきたユーザ端末ＵＴに対して、上記の生成した防災施設管理情報(Ｗｅｂページ)を送信して、ユーザ端末ＵＴの表示部に防災施設管理情報(Ｗｅｂページ)を表示させる。
尚、防災倉庫１の管理者（ユーザ）は、キーボックス１０に収容している専用鍵Ｋとは別に、専用鍵Ｋの合鍵を保持・管理している。
【００２６】
また、管理サーバ３０は、提供している防災施設管理情報(Ｗｅｂページ)上において、ユーザ端末ＵＴから「防災倉庫１を特定した鍵解錠要求」を受け付けるようになっている。そして、管理サーバ３０は、ユーザ端末ＵＴから送信される「防災倉庫１を特定した鍵解錠要求」を受信すると、特定されている防災倉庫１に設置されているキーボックス１０の通信制御装置１３に対してパケット通信により「鍵解錠指令」を送信する。
尚、通信制御装置１３は、鍵解錠指令を受信すると、施錠されている電気錠１２に電力を供給して（通電して）、施錠されている電気錠１２を解錠するように構成されている。
【００２７】
上記の構成によれば、地震や台風等の災害発生時において、防災倉庫１の管理者（ユーザ）が、自分が管理している防災倉庫１の設置位置まで辿り着けないような場合、自身が保持するユーザ端末ＵＴを操作して、ネットワークＮＷを介して管理サーバ３０にアクセスすることで、防災倉庫１の現状を把握することができる。また、管理者（ユーザ）は、ユーザ端末ＵＴの表示部に表示させている防災施設管理情報(Ｗｅｂページ)上から、防災倉庫１に設置されているキーボックス１０の電気錠１２の鍵解錠要求をすることで、防災倉庫１の設置位置まで行かなくても、防災倉庫１に設置されているキーボックス１０の電気錠１２を解錠し、専用鍵Ｋを取り出せるようにすることができる。
【００２８】
以下、本実施形態の防災施設遠隔管理システムの各構成について詳細に説明する。
【００２９】
《キーボックス１０》
先ず、キーボックス１０の構成について図２を参照しながら説明する。
キーボックス１０は、正面が開口している中空箱状の箱体部１１ａと、箱体部１１ａの正面の開口を開閉する板状の扉部１１ｂとを有しており、箱体部１１ａ及び扉部１１ｂにより、キーボックス１０の本体部１１が構成されている。尚、扉部１１ｂは、一方の側面部が蝶番を介して箱体部１１ａに取り付けられている。
【００３０】
また、本体部１１には、扉部１１ｂを施解錠するための電気錠（ソレノイド型電気錠）１２が設けられている。また、箱体部１１ａの内部には、通信制御装置１３と、「通信制御装置１３及び電気錠１２」に電力を供給する電源部１４と、警音器１５とが収容されている。また、箱体部１１ａの内部には、防災倉庫１に設けられた錠５を施解錠する専用鍵Ｋを収容する収容エリア１７が設けられている。尚、専用鍵Ｋは、収容エリア１７に取り付けられたフック（図示せず）などに係止された状態で、箱体部１１ａの内部に収容されている。
また、箱体部１１ａの外周側面部には、管理サーバ３０と通信するためのアンテナＡが取り付けられている。尚、アンテナＡは、通信制御装置１３の通信処理部１３１と電気的に接続されている。
【００３１】
次に、電気錠１２について説明する。
本実施形態では、電気錠１２に、通電時解錠型のソレノイド型電気錠を用いている。この電気錠１２は、通信制御装置１３の鍵解錠部１３２を介して電源部１４に接続されており（電線により接続されており）、鍵解錠部１３２から電力を供給されている状態のときに解錠し（通電状態のときに解錠し）、電力を供給されていない状態のときに施錠するように構成されている。
尚、本実施形態の電気錠１２は、防災倉庫１の管理者が保持する物理鍵（図示せず）によっても施解錠できるように構成されている。
【００３２】
また、扉部１１ｂの裏面（扉部１１ｂを閉めたときに箱体部１１ａと対向する面）の電気錠１２の近傍の位置には、施錠されている電気錠１２が解錠状態になると、それに連動して箱体部１１ａを付勢する付勢機構（バネ等で構成される付勢機構）が設けられている。
この構成によれば、電気錠１２が解錠状態になると、付勢機構が箱体部１１ａを付勢する。そして、扉部１１ｂは、付勢機構が箱体部１１ａを付勢することにより受ける箱体部１１ａから反力により、箱体部１１ａの正面の開口を開放するように動作する。すなわち、キーボックス１０は、扉部１１ｂが閉状態のときに、電気錠１２が解錠状態になると、閉状態の扉部１１ｂが自動的に開くようになっている。
【００３３】
次に、通信制御装置１３について説明する。
通信制御装置１３は、通信処理部１３１と、鍵解錠部１３２と、バッテリ容量監視部１３３とを有している。
【００３４】
尚、通信制御装置１３のハードウェア構成については特に限定しないが、例えば、中央処理装置（ＣＰＵ）と、主記憶装置と、補助記憶装置と、入出力Ｉ/Ｆと、携帯電話通信網を介して管理サーバ３０との間でパケット通信（データ通信）を行うための通信Ｉ/Ｆとを有する情報処理装置により実現される。この場合、上記補助記憶装置には、各部（通信処理部１３１、鍵解錠部１３２、バッテリ容量監視部１３３）の機能を実現するためのプログラムと、キーボックス１０が取り付けられている防災倉庫１を識別する施設ＩＤとが格納されている。そして、各部（通信処理部１３１、鍵解錠部１３２、バッテリ容量監視部１３３）の機能は、中央処理装置（ＣＰＵ）が補助記憶装置に格納された前記プログラムを主記憶装置にロードして実行することにより実現される。
以下、通信制御装置１３の各部の機能について説明する。
【００３５】
通信処理部１３１は、管理サーバ３０との間で通信網（携帯電話通信網）を介して各種情報の授受を行うものであり、管理サーバ３０からの「鍵解錠指令」を受信したり、管理サーバ３０に対して「鍵状態情報」や「バッテリ残量警告情報」を送信したりする。
尚、本実施形態では、通信処理部１３１と管理サーバ３０との間で行われる通信は、携帯電話キャリアが提供しているパケット通信サービスを用いている。
【００３６】
具体的には、通信処理部１３１は、管理サーバ３０からの「鍵解錠指令」を受信すると、鍵解錠部１３２に対して通電要求を行い、鍵解錠部１３２に電気錠１２を解錠させる。
また、通信処理部１３１は、施錠されている電気錠１２が解錠された場合に、鍵解錠部１３２から「電気錠１２が解錠されて扉部１１ｂが開状態であることを示す鍵状態情報」を取得し、解錠している電気錠１２が施錠された場合に、鍵解錠部１３２から「電気錠１２が施錠されて扉部１１ｂが閉状態であることを示す鍵状態情報」を取得するようになっている。通信処理部１３１は、上記の「鍵状態情報」を取得すると、メモリ（補助記憶装置）から「施設ＩＤ」を読み出し、通信網（携帯電話通信網）を介して、管理サーバ３０に対して、読み出した「施設ＩＤ」及び取得した「鍵状態情報」を送信する。
【００３７】
また、通信処理部１３１は、バッテリ容量監視部１３３から「バッテリ残量警告情報（電源部の容量（バッテリ容量）が所定値以下になっていることを示す情報）」を取得するようになっている。通信処理部１３１は、上記のバッテリ残量警告情報を取得すると、メモリ（補助記憶装置）から「施設ＩＤ」を読み出す。また、通信処理部１３１は、通信網（携帯電話通信網）を介して、管理サーバ３０に対して、読み出した「施設ＩＤ」及び取得した「バッテリ残量警告情報」を送信する。
【００３８】
また、鍵解錠部１３２は、通信処理部１３１からの「通電要求」に応じて、電源部１０から供給されている電力を電気錠１２に供給して、施錠されている状態の電気錠１２を解錠させる。
具体的には、鍵解錠部１３２は、通信処理部１３１からの「通電要求」を受け付けた場合、「通電要求」を受け付けてから所定時間、電気錠１２に電力を供給して通電状態にして、施錠されている状態の電気錠１２を解錠させるようになっている。また、鍵解錠部１２は、電気錠１２を解錠させて、後述するスイッチ１８から送信された信号を受信すると、通信処理部１３１に対して「電気錠１２が解錠されてドアが開状態であることを示す鍵状態情報」を出力する。
【００３９】
尚、電気錠１２の近傍には、電気錠１２が施錠されることを検知するセンサ（図示せず）が設けられている。このセンサは、電気錠１２が施錠されたことを検知すると、鍵解錠部１３２に、施錠されたことを示す信号を出力するようになっている。そして、鍵解錠部１３は、施錠されたことを示す信号を受信すると、通信処理部１３１に対して「電気錠１２が施錠されてドアが閉状態であることを示す鍵状態情報」を出力する。
【００４０】
バッテリ容量監視部１３３は、電源部１４の容量が所定値以下になっているか否かを監視し、所定値以下になると、通信処理部１３１に対してバッテリ残量警告情報を出力する。尚、電源部１５の容量が所定値以下になっているか否かは、例えば、所定時間毎に、バッテリ１０から供給される電力の電圧値等を測定し、その測定値が所定値以下になっている否かを判定することにより行われる。
【００４１】
次に、電源部１４について説明する。
電源部１４は、直流電力を供給するバッテリ（１台のバッテリ、或いは直列に接続した複数台のバッテリ）により構成されている。
尚、本実施形態では、電源部１４は、防災倉庫１の天井に設置されたソーラパネルＳＰ（図１参照）から充電されるようになっている。具体的には、箱体部１１ａの内部には、ソーラパネルＳＰが発電した電力を受電すると共に、その受電した電力を充電用電力に調整した上で電源部１０を充電する充電装置（図示せず）が収容されている。この構成により、電源部１４が容量不足（バッテリ切れ）になることを防止している。
【００４２】
次に、警音器１５について説明する。
警音器１５は、施錠されていた電気錠１２が解錠されて扉部１１ｂが開くと警報音を発生させて、周囲に扉部１１ｂが開いていることを知らせる機能を担っている。この警音器１５は、警報音を発生（出力）できるものであれば良く、特に限定されるものではないが、例えば、ゼンマイ式ベルを用いることができる。この場合、警音器１５には、警音器１５を鳴動させるためのスイッチ（図示せず）が設けられている。このスイッチは、扉が閉まると押され警音器１５の警音を停止させるようになっている。又、この警音器１５のスイッチとは別に扉部１１ｂの開閉を感知するスイッチ１８が設けられている。尚、鍵解錠部１３２は、電気錠１２を解錠させ扉部１１ｂが開くとスイッチ１８が信号を送信するように構成されている。
この構成によれば、警音器１５は、電気錠１２が解錠された後に、警音器１５に付属のスイッチが扉部１１ｂが開いた事を感知して鳴動を開始する。尚、警音器１５は、ゼンマイが効いている所定時間（例えば、１０分位）、鳴動を続ける。これにより、電気錠１２を解錠させて扉部１１ｂを開くと、所定時間、警報音が鳴り続けるようになる。
【００４３】
《管理サーバ３０》
次に、管理サーバ３０の構成について図１を参照しながら説明する。
管理サーバ３０は、制御部３１と、パケット通信部３２と、ＷＥＢ情報提供部３３と、鍵状態管理部３４と、Ｅメール処理部３５と、鍵情報データベース３６と、ユーザ情報データベース３７と、管理グループデータベース３８とを備えている。
【００４４】
尚、管理サーバ３０のハードウェア構成は、特に限定されるものではないが、例えば、管理サーバ３０は、中央処理装置（ＣＰＵ）と、主記憶装置と、補助記憶装置と、入出力Ｉ/Ｆと、携帯電話通信網を介して通信制御装置１３との間でパケット通信を行うための第１の通信Ｉ/Ｆと、インターネット等のネットワークＮＷ経由でユーザ端末ＵＴとの間で各種情報の授受を行う第２の通信Ｉ/Ｆとを備えるコンピュータ（１台或いは複数台のコンピュータ）により構成される。
また、上記補助記憶装置には、各部（制御部３１と、パケット通信部３２と、ＷＥＢ情報提供部３３と、鍵状態管理部３４と、Ｅメール処理部３５）の機能を実現するためのプログラムが格納されている。また、前記補助記憶装置の所定領域には、鍵情報データベース３６、ユーザ情報データベース３７、及び管理グループデータベース３８が格納されている。そして、各部（制御部３１と、パケット通信部３２と、ＷＥＢ情報提供部３３と、鍵状態管理部３４と、Ｅメール処理部３５）の機能は、中央処理装置（ＣＰＵ）が補助記憶装置に格納された前記プログラムを主記憶装置にロードして実行することにより実現される。
【００４５】
次に、管理サーバ３０の各構成について順に説明する。
【００４６】
制御部３１は、管理サーバ３０全体の動作を制御する。
パケット通信部３２は、通信制御装置１３（図２参照）との間で通信網（携帯電話通信網）を介して各種情報の授受を行うものであり、通信制御装置１３に対して「鍵解錠指令」を送信したり、通信制御装置１３から送信される「施設ＩＤ及び鍵状態情報」や「施設ＩＤ及びバッテリ残量警告情報」を受信したりする。
尚、パケット通信部３２は、通信制御装置１３から送信される「施設ＩＤ及び鍵状態情報」を受信すると、鍵情報データベース３６に格納されているデータが受信した「施設ＩＤ及び鍵状態情報」に対応したデータになるように、鍵状態管理部３４に鍵情報データベース３６を更新させる。また、パケット通信部３２は、通信制御装置１３から送信される「施設ＩＤ及びバッテリ残量警告情報」を受信すると、鍵情報データベース３６に格納されているデータが受信した「施設ＩＤ及びバッテリ残量警告情報」に対応したデータになるように、鍵状態管理部３４に鍵情報データベース３６を更新させる。
【００４７】
ＷＥＢ情報提供部３３は、ユーザ端末ＵＴからのアクセス要求を受け付けると、ユーザ情報データベース３７を用いて、ユーザ認証処理を行う。そして、ＷＥＢ情報提供部３３は、ユーザ認証処理により正規のユーザとして認証された場合、鍵情報データベース３６及びユーザ情報データベース３７（及び管理グループデータベース３８）を用いて、認証されたユーザが管理権限を有している防災倉庫１に設けられたキーボックス１０の状態や防災倉庫１の設置位置を示した防災施設管理情報１１０(Ｗｅｂページ（図８参照)）を生成する。また、ＷＥＢ情報提供部３３は、上記のユーザ端末ＵＴに対して、生成した防災施設管理情報１１０(Ｗｅｂページ)を送信する。
【００４８】
また、ＷＥＢ情報提供部３３は、提供している防災施設管理情報１１０(Ｗｅｂページ)上において、ユーザ端末ＵＴから「防災倉庫１を特定した鍵解錠要求」を受け付ける。そして、管理サーバ３０は、ユーザ端末ＵＴから送信される「防災倉庫１を特定した鍵解錠要求」を受信すると、鍵情報データベース３６を用いて、対応する防災倉庫１の通信先（通信制御装置１３のＩＰアドレス）を特定し、パケット通信部３２介して、特定したＩＰアドレスに「鍵解錠指令」を送信する。
【００４９】
鍵状態管理部３４は、パケット通信部３２介して、通信制御装置１３から「施設ＩＤ及び鍵状態情報」を受信すると、鍵情報データベース３６にアクセスして、受信した「施設ＩＤ」が登録されているレコードを読み出し、読み出したレコードに登録されている「鍵状態情報」を、受信した「鍵状態情報」の内容に更新した上で、鍵情報データベース３６に格納する。
また、鍵状態管理部３４は、上記の更新処理をした場合、上記の更新したレコードに登録されている施設ＩＤを読み出す。また、鍵状態管理部３４は、ユーザ情報データベース３７及び管理グループデータベース３８にアクセスして、読み出した施設ＩＤにより特定される防災倉庫１の管理権限を持つユーザのユーザＩＤを特定し、特定したユーザＩＤに対応付けられているメールアドレスを読み出す。そして、鍵状態管理部３４は、Ｅメール処理部３５を介して、読み出したメールアドレス宛に「鍵状態情報（キーボックス１０の電気錠１２が解錠されて扉部１１ｂが開状態である旨、或いは、キーボックス１０の電気錠１２が施錠されてドアが閉状態である旨を示す情報）」を記載した電子メールを送信する。
【００５０】
また、鍵状態管理部３４は、パケット通信部３２介して、通信制御装置１３から「施設ＩＤ及びバッテリ残量警告情報」を受信すると、鍵情報データベース３６にアクセスして、受信した「施設ＩＤ」が登録されているレコードを読み出し、読み出したレコードに登録されている「バッテリ容量」を「バッテリ残量が少ないことを示す情報」に更新した上で、鍵情報データベース３６に格納する。
また、鍵状態管理部３４は、上記の更新処理をした場合、上記の更新したレコードに登録されている施設ＩＤを読み出す。また、鍵状態管理部３４は、ユーザ情報データベース３７及び管理グループデータベース３８にアクセスして、読み出した施設ＩＤにより特定される防災倉庫１の管理権限を持つユーザのユーザＩＤを特定し、特定したユーザＩＤに対応付けられているメールアドレスを読み出す。そして、鍵状態管理部３４は、Ｅメール処理部３５を介して、読み出したメールアドレス宛に「バッテリ残量が少ないことを示す情報」を記載した電子メールを送信する。
【００５１】
Ｅメール処理部３５は、鍵状態管理部３４からの要求に応じて、ユーザ端末ＵＴを操作するユーザのメールアドレス宛に、「鍵状態情報を示す情報」や「バッテリ残量が少ないことを示す情報」が記載された電子メールを送信する。
【００５２】
次に、鍵情報データベース３６のデータ構成について図３を用いて説明する。
尚、図３は、本実施形態の防災施設遠隔管理システムを構成する管理サーバが記憶している鍵情報データベースのデータ構造を示した模式図である。
【００５３】
鍵情報データベース３６は、キーボックス１０が設置されている防災倉庫１を識別する施設ＩＤに対応付けて、キーボックス１０に設けた通信制御装置１３のＩＰアドレスや、キーボックス１０の電気錠１２の状態を示す情報や、防災倉庫の設置位置を示す情報等を対応付けて記憶するデータベースである。
【００５４】
具体的には、図３に示すように、鍵情報データベース３６は、「施設ＩＤ」を登録するためのフィールド３６ａと、防災倉庫１に取り付けられたキーボックス１０の「名称」を登録するためのフィールド３６ｂと、キーボックス１０に設けた通信制御装置１３の「ＩＰアドレス」を登録するためのフィールド３６ｃと、キーボックス１０の「鍵状態情報」を登録するためのフィールド３６ｄと、キーボックス１０に設けた電源部１４の「バッテリ容量（容量情報）」を登録するためのフィールド３６ｅと、防災倉庫１の設置位置の「住所」を登録するためのフィールド３６ｆと、防災倉庫１の設置位置の「緯度」を登録するためのフィールド３６ｇと、防災倉庫１の設置位置の「経度」を登録するためのフィールド３６ｈとを有するレコードにより構成されている（複数のレコードにより構成されている）。
【００５５】
ここで、フィールド３６ａに登録される「施設ＩＤ」は、防災倉庫１を識別するための一意の情報であり、例えば、英数字記号等により構成される。
また、フィールド３６ｂに登録される「名称」は、「施設ＩＤ」により特定される防災倉庫１のユーザ（管理者）が登録したテキスト情報であり、ユーザにより任意に設定されている。
【００５６】
フィールド３６ｄ登録される「鍵状態情報」とは、「施設ＩＤ」により特定される防災倉庫１に取り付けたキーボックス１０の電気錠１２の状態を示す情報である。本実施形態では、キーボックス１０の電気錠１２が解錠されて扉部１１ｂが開状態である場合に「開状態」が登録され、キーボックス１０の電気錠１２が施錠されて扉部１１ｂが閉状態である場合には「閉状態」が登録されるようになっている。
【００５７】
フィールド３６ｅに登録される「バッテリ容量」とは、「施設ＩＤ」により特定される防災倉庫１に取り付けたキーボックス１０に設けた電源部１４の容量を示す情報である。本実施形態では、電源部１４のバッテリ残量が所定値より大きい場合には「○」が登録され、電源部１０のバッテリ残量が所定値以下である場合（バッテリ残量が僅かであり、バッテリ交換が必要な状態である場合）には「×」が登録されるようになっている。
【００５８】
次に、ユーザ情報データベース３７のデータ構成について図４を用いて説明する。
尚、図４は、本実施形態の防災施設遠隔管理システムを構成する管理サーバが記憶しているユーザ情報データベースのデータ構造を示した模式図である。
【００５９】
ユーザ情報データベース３７は、防災倉庫１のユーザ（管理者）を識別するユーザIＤに、ユーザ情報を対応付けて記憶するデータベースである。
【００６０】
具体的には、図４に示すように、ユーザ情報データベース３７は、「ユーザＩＤ」を登録するためのフィールド３７ａと、「ユーザＩＤ」により識別されるユーザが設定した「ログインパスワード」を登録するためのフィールド３７ｂと、「ユーザＩＤ」により識別されるユーザの名称（ユーザ名）を登録するためのフィールド３７ｃと、「ユーザＩＤ」により識別されるユーザの電子メールの「メールアドレス」を登録するためのフィールド３７ｄと、「ユーザＩＤ」により識別されるユーザの「住所（ユーザ住所）」を登録するためのフィールド３７ｅと、「ユーザＩＤ」により識別されるユーザが管理権限を有している「管理権限施設」を示す情報を登録するためのフィールド３７ｆとを備えたレコードにより構成されている（複数のレコードにより構成されている）。
【００６１】
ここで、フィールド３７ａに登録される「ユーザＩＤ」とは、防災倉庫１のユーザ（管理者）に割り当てられ且つユーザを識別する一意の情報であり、英数字記号等により構成される。
また、フィールド３７ｆに登録される「管理権限施設」を示す情報には、「施設ＩＤ」及び「管理グループ（管理グループ番号）」を用いる。
上記の「管理グループ」とは、防災倉庫１の管理権限を階層的に分類して管理するためのものであり、「施設ＩＤ」により特定される防災倉庫１が属するグループを識別する英数字記号等により構成されている。
【００６２】
図中の最上段のレコードでは、フィールド３７ｆに「ＡＡ０００２」という「施設ＩＤ」が登録されている。これは、このレコードに登録されているユーザが、「施設ＩＤ」である「ＡＡ０００２」により特定される防災倉庫１だけの管理権限を有していることを示している。
また、図中の上から２段目のレコードでは、フィールド３７ｆに「Ｇ１Ａ」という「管理グループ」が登録されている。これは、このレコードに登録されているユーザが、「管理グループ」が「Ｇ１Ａ」に分類されている全ての防災倉庫１の管理権限を有していることを示している。
【００６３】
次に、管理グループデータベース３８について図５を用いて説明する。
尚、図５は、本実施形態の防災施設遠隔管理システムを構成する管理サーバが記憶している管理グループデータベースのデータ構造を示した模式図である。
【００６４】
管理グループデータベース３８は、施設ＩＤにより特定される防災倉庫１の管理権限を階層別にグループ分けして記憶したものであり、図示する例では、３階層のグループを設けて防災倉庫１の管理権限を管理している。
【００６５】
本実施形態の管理グループデータベース３８は、上位グループ（Ｇ０）と、上位グループ（Ｇ０）から分類された中位グループ（Ｇ１、Ｇ２・・・）と、各中位グループから分類されている下位グループ（Ｇ１Ａ、Ｇ１Ｂ・・・）とを設け、各下位グループに、当該下位グループに分類された施設ＩＤが紐付けされたデータ構成になっている。
【００６６】
具体的には、図５に示すように、管理グループデータベース３８は、上位グループ（Ｇ０）に、複数の中位グループ（Ｇ１、Ｇ２・・・）が対応付けられ、中位グループ毎（例えば、Ｇ１Ａ）に下位グループ（例えば、Ｇ１Ａ、Ｇ１Ｂ・・・）が対応付けられ、各下位グループ（例えば、Ｇ１Ａ）に当該下位グループに属する防災倉庫１の施設ＩＤが対応付けられている。
【００６７】
図示する例によれば、下位グループである「Ｇ１Ａ」には「施設ＩＤ」が「ＡＡ０００１〜ＡＡ０００８」の防災倉庫１が属し、「Ｇ１Ｂ」には「施設ＩＤ」が「ＡＢ０００１〜ＡＢ００１０」の防災倉庫１が属し、「Ｇ１Ｃ」には、「施設ＩＤ」が「ＡＣ０００１〜ＡＣ０００７」の防災倉庫１が属している。また、「Ｇ１Ａ」、「Ｇ１Ｂ」及び「Ｇ１Ｃ」の下位グループは、中位グループである「Ｇ１」に属している。すなわち、「Ｇ１Ａ」、「Ｇ１Ｂ」及び「Ｇ１Ｃ」のいずれかに属している防災倉庫１は、全て、中位グループの「Ｇ１」に属していることになる。また、管理グループデータベース３８に登録される防災倉庫１は、全て、上位グループの「Ｇ０」に属していることになる。
【００６８】
そのため、例えば、中位グループの「Ｇ１」に属している、全ての防災倉庫１の管理権限を有しているユーザがいる場合、上述したユーザ情報データベース３７のフィールド３７ｆに「Ｇ１」を登録すれば良く、ユーザ情報データベース３７のデータ構造を簡素化できる。
【００６９】
《ユーザ端末ＵＴ》
次に、ユーザ端末ＵＴの構成について説明する。
ユーザ端末ＵＴは、Ｗｅｂブラウザ機能を有する制御部と、液晶ディスプレイ等で構成される表示部と、キーボードや操作ボタン等で構成される入力部とを備えた情報処理装置（パソコン、ＰＤＡ、スマートフォン、携帯電話等の情報処理装置）により構成されている。そして、ユーザ端末３は、ネットワークＮＷを介して管理サーバ３にアクセスし、サーバ３から送信される防災施設管理情報(Ｗｅｂページ)を受信して、表示部に表示させることができるようになっている。
【００７０】
また、ユーザ端末ＵＴは、表示部に表示させている防災施設管理情報(Ｗｅｂページ)上において、入力部を介して「防災倉庫１を特定した鍵解錠要求」を受け付け、管理サーバ３に対して、ネットワークＮＷ経由で「防災倉庫１を特定した鍵解錠要求」を送信するようになっている。
【００７１】
《防災施設遠隔管理処理》
次に、本実施形態の防災施設遠隔管理システムが行う鍵解錠処理について、図６〜図９を用いて説明する。
【００７２】
尚、図６は、本実施形態の防災施設遠隔管理システムが行う鍵解錠処理を示したフローチャートである。図７は、本実施形態の防災施設遠隔管理システムが提供するログイン画面を示した模式図である。また、図８、９は、本実施形態の防災施設遠隔管理システムがユーザ端末に提供する防災施設管理情報の画面例を示した模式図である。
【００７３】
先ず、防災倉庫１の管理権限を持つユーザが、ユーザ端末ＵＴを操作して、管理サーバ３にアクセス要求を行う。管理サーバ３のＷＥＢ情報提供部３３は、アクセス要求をしてきたユーザ端末ＵＴに対して、ログイン画面を送信して、ユーザ端末ＵＴの表示部に、ログイン画面を表示させる（Ｓ１）。
【００７４】
本ステップ（Ｓ１）では、ＷＥＢ情報提供部３３は、例えば、図７に示すログイン画面１００を生成し、ユーザ端末ＵＴに対して、生成したログイン画面１００を送信する。これにより、ユーザ端末ＵＴの表示部に、ログイン画面１００が表示される。
図示するログイン画面１００には、ユーザＩＤの入力欄１００ａと、パスワードの入力欄１００ｂと、ログインボタン１００ｃとが設けられている。そして、ユーザがユーザ端末ＵＴを操作して、ログイン画面１００の入力欄１００ａ、１００ｂに「ユーザＩＤ及びパスワード」を入力して、ログインボタン１００ｃをクリックすると、管理サーバ３のＷＥＢ情報提供部３３に「ユーザＩＤ及びパスワード」が送信される。
【００７５】
次に、管理サーバ３のＷＥＢ情報提供部３３は、ユーザ端末ＵＴから送信された「ユーザＩＤ及びパスワード」を受信し（Ｓ２）、Ｓ３の処理に進む。
【００７６】
Ｓ３では、ＷＥＢ情報提供部３３は、受信した「ユーザＩＤ及びパスワード」が、ユーザ情報データベース３７に登録されているか否かを判定するユーザ認証処理を行う。
具体的には、ＷＥＢ情報提供部３３は、ユーザ情報データベース３７に格納されたレコードのなかに、受信した「ユーザＩＤ及びパスワード」を登録しているレコードが有るか否かを判定し、受信した「ユーザＩＤ及びパスワード」を登録しているレコードが有れば、アクセス要求をしてきたユーザが正規のユーザであると認証してＳ４の処理に進む。
一方、ＷＥＢ情報提供部３３は、ユーザ情報データベース３７に格納されたレコードのなかに、受信した「ユーザＩＤ及びパスワード」を登録しているレコードが無ければ、アクセス要求をしてきたユーザが正規のユーザではないと認証して、ユーザ端末ＵＴに対してエラー画面（認証失敗を知らせる画面）を送信し（Ｓ１２）、処理を終了する。
【００７７】
次に、Ｓ３のユーザ認証処理により正規のユーザであると認証された場合に行うＳ４の処理について説明する。Ｓ４では、ＷＥＢ情報提供部３３は、Ｓ３で認証したユーザ専用の防災施設管理情報(Ｗｅｂページ）を生成し、認証したユーザのユーザ端末ＵＴに防災施設管理情報(Ｗｅｂページ）を送信する。
【００７８】
上記のＳ４では、先ず、ＷＥＢ情報提供部３３は、ユーザ情報データベース３７を用いて、認証したユーザが管理権限を有する防災倉庫１を特定する。具体的には、ＷＥＢ情報提供部３３は、ユーザ情報データベース３７にアクセスし、認証した「ユーザＩＤ（Ｓ２で受け付けたユーザＩＤ）」が登録されたレコードのフィールド３７ｆから、「ユーザＩＤ」に対応付けられている「管理権限施設」を読み出す。
尚、フィールド３７ｆに「管理グループ」が登録されている場合には、ＷＥＢ情報提供部３３は、さらに、管理グループデータベース３８にアクセスして、読み出した「管理グループ」に属する「施設ＩＤ」を全て読み出し、ユーザが管理権限を有する防災倉庫１として、読み出した「施設ＩＤ」により特定される防災倉庫１を特定する。一方、フィールド３７ｆに「施設ＩＤ」が登録されていた場合には、ＷＥＢ情報提供部３３は、管理グループデータベース３８にアクセスする処理を行わず、ユーザが管理権限を有する防災倉庫１として、フィールド３７ｆから読み出した「施設ＩＤ」により特定される防災倉庫１を特定する。
【００７９】
また、Ｓ４では、ユーザが管理権限を有する防災倉庫１を特定した後、ＷＥＢ情報提供部３３は、鍵情報データベース３６にアクセスし、読み出した「施設ＩＤ」が登録されたレコードを読み出し（複数の施設ＩＤを読み出したときには複数のレコードを読み出す）、読み出したレコードの情報と、予め保持している地図情報とを用いて、認証したユーザが管理権限を有している防災倉庫１の位置を示したアイコンＩＣを地図上に提示した地図画像情報と、防災倉庫１に設けたキーボックス１０の状態及び防災倉庫１の設置位置（住所）を示したリスト情報とが含まれている防災施設管理情報１１０（図８参照）を生成する。そして、ＷＥＢ情報提供部３３は、認証したユーザのユーザ端末ＵＴに対して、生成した防災施設管理情報１１０送信して、ユーザ端末ＵＴに防災施設管理情報１１０を表示させて、Ｓ５の処理に進む。
【００８０】
尚、図８に示す防災施設管理情報１１０には、操作メニューを受け付ける操作ボタンが設けられた領域１１０ａと、認証したユーザが管理権限を有している防災倉庫１の位置を示したアイコンＩＣを地図上に示した地図画像情報が表示されている領域１１０ｂと、防災倉庫１に設置されたキーボックス１０の状態（電気錠１２の状態、電源部１４の状態）及び防災倉庫１の設置位置（住所）を示したリスト情報（テキスト情報）が表示された領域１１０ｃとが設けられている。尚、領域１１０ａには、Ｓ３で認証されたユーザの「ユーザ名」が提示されている。また、図中の「Ｐ」は、ポインタ（マウスポインタ）を示している。
【００８１】
このように、本実施形態によれば、防災倉庫１の管理権限を有するユーザは、パソコンやスマートフォン等のユーザ端末ＵＴを操作して管理サーバ３にアクセスすることにより、自身が管理権限を持つ防災倉庫1の位置を地図上に表示させて確認できると共に、防災倉庫1に取り付けたキーボックス１０の状態を確認することができる。
【００８２】
次に、Ｓ５の処理について説明する。
Ｓ５では、ＷＥＢ情報提供部３３は、ユーザ端末ＵＴに提供している防災施設管理情報１１０上において、ユーザ端末ＵＴから「防災倉庫１を特定した鍵解錠要求」を受け付ける。
【００８３】
具体的には、Ｓ５では、防災施設管理情報１１０が表示されているユーザ端末ＵＴのユーザは、ユーザ端末ＵＴを操作して、防災施設管理情報１１０に表示されている防災倉庫１のなかから、キーボックス１０から専用鍵Ｋを取り出して利用できる状態にしたい防災倉庫１を選択する。図示する例では防災施設管理情報１１０の領域１１０ｃのリストのなかから、専用鍵Ｋを取り出したい防災倉庫１を選定してクリックすることで、専用鍵Ｋを取り出したい防災倉庫１が選択され（図８では、アイコン番号が「１」の防災倉庫１が選定されている）、ＷＥＢ情報提供部３３に選択された情報が送信される。その後、ＷＥＢ情報提供部３３は、ユーザ端末ＵＴからの防災倉庫１の選択を受け付け、図９に例示するような鍵解錠要求を受け付ける確認用の防災施設管理情報(Ｗｅｂページ)１１０を生成して、ユーザ端末ＵＴに提供する。
【００８４】
図９に示す防災施設管理情報１１０では、図８において地図画像情報が表示されていた領域１１０ｂが鍵解錠要求を受け付けるための領域１２０ｂに変更されている。領域１２０ｂには、上記の受け付けた「施設ＩＤ」と「施設ＩＤにより特定される防災倉庫の設置位置（住所）」が表示されていると共に、キーボックス１０の解錠を受け付ける鍵解錠要求ボタン２１１が表示されている。
そして、ユーザは、ユーザ端末ＵＴを操作して、防災施設管理情報１１０の解錠要求ボタン２１１にポインタＰを合わせてクリックすることで、ＷＥＢ情報提供部３３に、「防災倉庫１を特定した鍵解錠要求（施設ＩＤを含んだ鍵解錠要求）」が送信される。また、ＷＥＢ情報提供部３３は、ユーザ端末ＵＴから送信された「防災倉庫１を特定した鍵解錠要求（施設ＩＤを含んだ鍵解錠要求）」を受け付け、Ｓ６の処理に進む。
【００８５】
Ｓ６では、ＷＥＢ情報提供部３３は、先ず、鍵情報データベース３６にアクセスして、Ｓ５で受信した「鍵解錠要求（施設ＩＤを含んだ鍵解錠要求）」に含まれる施設ＩＤに対応付けられている「ＩＰアドレス」を読み出す。次に、ＷＥＢ情報提供部３３は、パケット通信部３２に対して、読み出した「ＩＰアドレス」を指定した「鍵解錠指令」の送信を要求する。この要求を受けたパケット通信部３２は、指定されたＩＰアドレス宛に（施設ＩＤにより特定されている防災倉庫１に設置されているキーボックス１０の通信制御装置１３宛に）「鍵解錠指令」を送信する。
管理サーバ３０がＳ６の処理を終えると、その後、防災倉庫１に設けられたキーボックス１０側が行うＳ２０〜Ｓ２３の処理に移行する。
【００８６】
Ｓ２０では、防災倉庫１に設けられたキーボックス１０に収容されている通信制御装置１３の通信処理部１３１が、管理サーバ３０からの「鍵解錠指令」を受信すると共に、鍵解錠部１３２に対して通電要求を行い、Ｓ２１の処理に進む。
【００８７】
Ｓ２１では、通信制御装置１３の鍵解錠部１３２が、通信処理部１３１からの「通電要求」を受け、当該「通電要求」を受け付けてから所定時間、電気錠１２に電力を供給して通電状態にする。これにより、施錠されている状態の電気錠１２が解錠される。尚、電気錠１２が解錠されると、キーボックス１０の扉部１１ｂに設けた付勢機構により、扉部１１ｂが自動的に開いた状態になる。
また、Ｓ２１では、鍵解錠部１３２は、電気錠１２を解錠させ、さらに、スイッチ１８が送信した信号を受信すると、通信処理部１３１に対して「電気錠１２が解錠されて扉部１１ｂが開状態であることを示す鍵状態情報」を出力する。
【００８８】
Ｓ２２では、警音器１５に付属のスイッチ（図示せず）が、扉部１１bが開いた事を感知してオン状態になり、警音器１５を鳴動させる。警音器１５は、ゼンマイが効いている所定時間（例えば、１０分位）鳴動を続ける。これにより、防災倉庫１の周囲に対して、キーボックス１０の扉部１１ｂが開いていることを知らせることができる。
【００８９】
Ｓ２３では、通信処理部１３１が、鍵解錠部１３２からの「電気錠１２が解錠されてドアが開状態であることを示す鍵状態情報」を受信し、メモリ（補助記憶装置）から「施設ＩＤ」を読み出し、通信網（携帯電話通信網）を介して、管理サーバ３０のパケット通信部３２に対して、読み出した「施設ＩＤ」及び受信した「鍵状態情報」を送信する。
キーボックス１０の通信制御装置１３（通信処理部１３１）がＳ２３の処理を終えると、管理サーバ３０側が行うＳ７〜Ｓ９の処理に移行する。
【００９０】
Ｓ７では、管理サーバ３０のパケット通信部３２は、キーボックス１０の通信制御装置１３から送信されてきた「施設ＩＤ及び鍵状態情報」を受信する。
【００９１】
Ｓ８では、パケット通信部３２は、鍵情報データベース３６に格納されているデータが受信した「施設ＩＤ及び鍵状態情報」に対応したデータになるように、鍵状態管理部３４に鍵情報データベース３６を更新させる。具体的には、鍵状態管理部３４が、鍵情報データベース３６にアクセスして、受信した「施設ＩＤ」が登録されているレコードのフィールド３６ｄに登録された情報を、受信した「鍵状態情報」に更新すると共に、ＷＥＢ情報提供部３３に更新内容を通知する。尚、このフローチャートの例では、受信した「施設ＩＤ」が登録されているレコードのフィールド３６ｄに登録された「閉状態」が「開状態」に更新される。
また、Ｓ８では、ＷＥＢ情報提供部３３は、鍵状態管理部３４から更新内容の通知を受けると、ユーザ端末ＵＴに提供している防災施設管理情報１２０を更新する。具体的には、ＷＥＢ情報提供部３３は、上述したＳ４で生成した防災施設管理情報１１０の領域１１０ｃのリスト情報を「更新された鍵情報データベース３６」に対応するように変更し、対応するユーザ端末ＵＴに送信する。これにより、鍵解錠要求を行ったユーザ端末ＵＴの表示部に、キーボックス１０の電気錠１２が解錠された内容が反映された防災施設管理情報１１０が表示される。
【００９２】
Ｓ９では、鍵状態管理部３４が、上記の更新したレコードに登録されている施設ＩＤを読み出す。また、鍵状態管理部３４は、ユーザ情報データベース３７及び管理グループデータベース３８にアクセスして、読み出した施設ＩＤにより特定される防災倉庫１の管理権限を持つユーザのユーザＩＤを特定し、特定したユーザＩＤに対応付けられているメールアドレスを読み出す。また、鍵状態管理部３４は、Ｅメール処理部３５に対して、読み出した「メールアドレス」を指定した「鍵状態情報」を記載した電子メール送信を要求する。この要求を受けたＥメール処理部３５は、指定されたメールアドレスス宛に「読み出した施設ＩＤにより特定される防災倉庫１を示す情報（例えば、防災倉庫の住所）と、鍵状態情報」を記載した電子メールを送信する。
【００９３】
Ｓ９の処理により、更新したレコードに登録されている施設ＩＤより特定される防災倉庫１の管理権限を持つユーザが複数いる場合において、「鍵解錠要求」を行っていないユーザに対しても、防災倉庫１のキーボックス１０を解錠したことを知らせることができる。
【００９４】
以上、説明したように、本実施形態によれば、災害発生時において、防災倉庫１の管理者（ユーザ）が、自分が管理している防災倉庫１の設置位置まで辿り着けないような場合、自身が保持するユーザ端末ＵＴを操作して、ネットワークＮＷを介して管理サーバ３０にアクセスして、ユーザ端末ＵＴの表示部に防災施設管理情報(Ｗｅｂページ)１１０を表示さることで、自分が管理している防災倉庫１の現状を把握することができる。
【００９５】
また、本実施形態によれば、管理者（ユーザ）は、ユーザ端末ＵＴの表示部に表示させている防災施設管理情報(Ｗｅｂページ)１１０上から、防災倉庫１に設置されているキーボックス１０の電気錠１２の鍵解錠要求をすることで、防災倉庫１の設置位置まで行かなくても、防災倉庫１に設置されているキーボックス１０の電気錠１２を解錠し、専用鍵Ｋを取り出せるようにすることができる。すなわち、本実施形態によれば、災害発生時において、管理者（ユーザ）が防災倉庫１に辿り着けないような場合であっても、管理者（ユーザ）がユーザ端末ＵＴを操作することで、防災倉庫１の近くにいる被災者が、防災倉庫１に収容されている防災用品を利用できる状態にすることができる。
【００９６】
また、本実施形態は、防災倉庫１に対して、防災倉庫１を利用するための専用鍵Ｋを収容でしたキーボックス１０を外付けする構成を採用しているため、既設の防災倉庫１にも適用することができ、経済性に優れたシステムになっている。
【００９７】
また、管理サーバ３０と、キーボックス１０に設けた通信制御装置１３との間の通信には、携帯電話キャリアが提供しているデータ通信サービス（パケット通信帯）を利用している。この構成によれば、災害発生時においても、管理サーバ３０と、キーボックス１０に設けた通信制御装置１３との間の通信が繋がり易く、被災者が、防災倉庫１に収容されている防災用品を利用できなくなるというリスクを軽減させることができる。
【００９８】
尚、本発明は、上述した実施形態に限定されるものではなく、その要旨の範囲内において種々の変更が可能である。
【００９９】
例えば、上述した実施形態では、防災倉庫１の専用鍵Ｋを収容するキーボックス１０を設けて、ユーザがユーザ端末ＵＴを操作することで、遠隔地にいるユーザがキーボックス１０に設けられた電気錠１２を解錠できるようにしているが、特にこれに限定されるものではない。
例えば、防災倉庫１の扉部３に、直接電気錠１２を設けて、電気錠１２により扉部３を施解錠させるようにする。また、防災倉庫１の内部に、管理サーバ３０との間でパケット通信を行うと共に電子錠１２の施解錠を制御する通信制御装置１３を設置しておく。この構成によれば、ユーザがユーザ端末ＵＴを操作することにより、遠隔地から防災倉庫１に設けた電気錠１２を解錠することができ、上述した実施形態と同様、防災倉庫１に管理者が辿り着けないような場合であっても、被災者が、防災倉庫１に収容されている防災用品を利用できる状態にすることができる。
【０１００】
また、上述した実施形態では、防災倉庫１の外壁部等にキーボックス１０を設置しているが、これは一例に過ぎない。キーボックス１０は、防災倉庫１の近傍の場所に設置されていればよく、防災倉庫１に直接設置する必要は無い。
【符号の説明】
【０１０１】
１…防災倉庫
３…扉部
５…錠
１０…キーボックス
１１…本体部
１１ａ…箱体部
１１ｂ…扉部
１２…電気錠
１３…通信制御装置
１３１…通信処理部
１３２…鍵解錠部
１３３…バッテリ容量監視部
１４…電源部
１５…警音器
１８…スイッチ
３０…管理サーバ
３１…制御部
３２…パケット通信部
３３…ＷＥＢ情報提供部
３４…鍵状態管理部
３５…Ｅメール処理部
３６…鍵情報データベース
３７…ユーザ情報データベース
３８…管理グループデータベース
【図１】
2018044407.tif 000003
【図２】
2018044407.tif 000004
【図３】
2018044407.tif 000005
【図４】
2018044407.tif 000006
【図５】
2018044407.tif 000007
【図６】
2018044407.tif 000008
【図７】
2018044407.tif 000009
【図８】
2018044407.tif 000010
【図９】
2018044407.tif 000011